(57)【要約】自動車を運転する運転者が走路変更等で自動車の後方・後側方の車両状況の確認作業を行う時、視線の動きや後方映像の認知において軽い負担で確認作業を行うことができる自動車用の統合ミラーを提供する。  この統合ミラー１６は、車両後方の車室内側視界を映す車室内ミラー部１８と、車両後方の車室外側視界を映す車室外ミラー部１７と、車室内ミラー部と車室外ミラー部を各々のミラー面が平行になるように結合する結合部材２１と、結合部材の途中に設けられ、フロントピラー１５等の上端に回動自在に取り付けられた取付け部材２２と、から構成されている。
2005035314.tif 000002
【特許請求の範囲】
【請求項１】
車両後方の車室内側視界を映す車室内ミラー部と、
車両後方の車室外側視界を映す車室外ミラー部と、
前記車室内ミラー部と前記車室外ミラー部を各々のミラー面が平行になるように結合する結合手段と、
を有することを特徴とする統合ミラー。
【請求項２】
前記車室内ミラー部と前記車室外ミラー部は各ミラー面に映る像が、所定の体格データを用いて決定される運転者視点位置に応じて決定される共通の仮想視点に基づいて結像されるように光学的に設計され、各ミラー面に映る像が連続性を有することを特徴とする請求項１記載の統合ミラー。
【請求項３】
更に、前記結合手段の途中に設けられ、前記車両外郭部の上部に回動自在に設けられた取付け手段を有し、前記車室内ミラー部と前記車室外ミラー部は前記取付け手段を回動中心にして連動して動くことを特徴とする請求項１または２記載の統合ミラー。
【請求項４】
前記車室内ミラー部を動かすことによってミラー位置が調整可能に設けられた請求項３記載の統合ミラー。
【請求項５】
前記車両外郭部は左右のフロントピラーであることを特徴とする請求項１〜４のいずれか１項に記載の統合ミラー。
【請求項６】
前記車室内ミラー部と前記車室外ミラー部は着座した運転者の視線以上の高さに配置されることを特徴とする請求項１〜５のいずれか１項に記載の統合ミラー。
【請求項７】
前記車室内ミラー部と前記車室外ミラー部は、所定の体格データに基づき決定される前記運転者視点位置以上の高さに配置されることを特徴とする請求項２〜６のいずれか１項に記載の統合ミラー。
【請求項８】
前記仮想視点は、前記フロントピラーの前方かつ車両コーナー部であって、地面から車高までの高さの範囲内に設けられることを特徴とする請求項５〜７のいずれか１項に記載の統合ミラー。
【発明の詳細な説明】
【技術分野】
【０００１】  本発明は統合ミラーに関し、特に、自動車等の車両の後方および後側方の視界を良好にする統合ミラーに関する。
【背景技術】
【０００２】  従来、自動車の運転者が当該自動車の後方の状況を知ろうとする場合には、運転者は、フロントウィンドウの中央上部に配置されたルームミラーまたは車体の左右側部に配置されたサイドミラー（ドアミラーまたはフェンダミラー）等の後方ミラーを利用する。ルームミラーは主に自動車の後方の視界の確認に用いられ、サイドミラー等は自動車の後側方の視界の確認に用いられる。従来の後方ミラーの配置では、構造上死角の発生はやむをえず、当該死角の部分は運転者自身の目視による再度の確認が必要であった。【０００３】  そこで従来では、運転時の後側方の視界を拡大して死角領域を減少させるという目的で、ルームミラーに対して後付けで付設されるいわゆるワイドミラーと呼ばれるミラー器具が提案されていた。当該ワイドミラーによれば、自動車の後方に加えて、側方の一部を含む広い視界を同時に得ることができる。【０００４】  後方ミラーで得られる視界を拡大する技術は例えば特許文献１に開示されている。特許文献１によるドアミラーは、車室内側に位置するサブミラーを付設し、ドアミラーとサブミラーとを組み合せることにより、視界を広く大きくするようにしている。【０００５】  上記の従来の後方ミラーでは、次のような問題が提起されていた。【０００６】  第１の問題は、前方の死角を増加することである。ルームミラーに付設されるワイドミラーは、通常、ルームミラーよりも大きいため、前方の視界に関して死角が増加する。特許文献１によるドアミラーとサブミラーの組合せによれば、前方路面を確認するときに重要な目の高さより低いガラス領域であって、かつフロントピラーとドアミラーで挟まれる当該ガラス領域が、サブミラーで隠されるという問題があった。【０００７】  第２の問題は、後方視界の調整が面倒であることである。自動車に搭乗する運転者の座席位置や運転席位置等を変更する場合、運転者は良好な視界を確保するため、ルームミラーや左右のサイドミラー等を調節することが必要となる。この調節は３回行わなければならない。さらに上記の特許文献１に開示されるドアミラーによれば、上記の３回の調節に加えて、車室内の左右のサブミラーの角度調節を考慮することが必要となる。【０００８】  第３の問題は、自動車の後方や後側方の確認の回数が多くなることである。交差点での右折時または左折時に、一般的な交通状況では、運転者はその視線を少なくとも２回移動させ、ルームミラーと左右のいずれかのサイドミラーを確認する必要があった。運転者の視線移動に関しては、例えば、ルームミラーに対する左上方向、あるいは右ドアミラーに対する右下方向のごとく、左右移動と上下移動という大きな動きが含まれていた。交差点など、特にドライバが周囲の状況を詳細に把握する必要のあるときには、不必要な視線移動をなるべく低減させたいという要求がある。【０００９】  第４の問題は、各後方ミラーに移った映像を運転者の認知能力で統合しなければならないことである。従来の後方ミラーの利用では、運転者が後側方の状況を認知するためにそのイメージを頭の中で構成する際、例えば、まずルームミラーで得た後方映像を記憶し、その後でサイドミラーによる側方映像を見ながらこれを統合するという認知作業を��っていた。従来ではルームミラーとサイドミラーの設置位置が大きく離れているので、各ミラーの映像に基づいて空間認知を行うという作業は負担の大きいものであった。
【特許文献１】実用新案登録第３０１７７７６号公報
【発明の開示】
【発明が解決しようとする課題】
【００１０】  本発明の課題では、上記の第１から第４の問題を解決するものであり、前方の死角の増加を防止しつつ、複数の後方ミラーの各々の調節負担を軽減し、複数の後方ミラーの各々に対する視線移動の負担を軽減し、さらに複数の後方ミラーの各々の映像を頭の中で統合する認知作業の負担を軽減することにより、自動車を運転する運転者にとっての後方状況の確認作業の負荷を軽減しようとするものである。【００１１】  本発明の目的は、上記の課題を達成し、自動車を運転する運転者が走路変更等で当該自動車の後方または後側方の車両状況の確認作業を行う時、視線の動きや後方映像の認知において、従来車以上に軽い負担で確認作業を行うことができる自動車用の統合ミラーを提供することにある。
【課題を解決するための手段】
【００１２】  本発明に係る統合ミラーは、上記目的を達成するために次のように構成される。【００１３】  本発明に係る統合ミラーは、車両後方の車室内側視界を映す車室内ミラー部と、車両後方の車室外側視界を映す車室外ミラー部と、車室内ミラー部と車室外ミラー部を各々のミラー面が平行になるように結合する結合部材と、から構成される。【００１４】  上記統合ミラーでは、車室外ミラー部と車室内ミラー部とを近接して配置し、各ミラー面が平行な位置関係を有するよう、結合部材で結合して一体的に構成し、さらにフロントピラー等に可動する状態で取り付けている。車両の後方視界に関しては、車室内ミラー部で車室内を含む車両後方の視界を得、車室外ミラー部で車両の後側方の視界を得る。車室内ミラー部で得られる後方像と、車室外ミラー部で得られる後方像とは、違和感のない一体的な、かつ連続する像として作られる。【００１５】  本発明に係る統合ミラーは、上記の構成において、好ましくは、車室内ミラー部と車室外ミラー部が、各ミラー面に映る像が共通の仮想視点に基づいて結像されるように光学的に設計され、各ミラー面に映る像が連続性を有することで特徴づけられる。この構成によれば、車室内ミラー部と車室外ミラー部の各ミラー面は、光学的に仮想視点を基準にして設計されるため、それぞれのミラー面に映る後方像を連続的および一体的な像として認識することが可能となる。【００１６】  本発明に係る統合ミラーは、上記の各構成において、好ましくは、車室内ミラー部と車室外ミラー部が取付け部を回動中心にして連動して動くことで特徴づけられる。この構成によって、統合ミラーの視界調整では、車室内ミラー部を把持して調整を行えば、車室外ミラー部の視界調整も同時に行うことができ、調整の回数を低減し、調整負担を軽減することが可能となる。【００１７】  本発明に係る統合ミラーは、上記の各構成において、好ましくは、車室内ミラー部を動かすことによってミラー位置を調整することを特徴とする。この構成によってミラーに映る後方像の調整作業の負担が軽減される。【００１８】  本発明に係る統合ミラーは、上記の各構成において、好ましくは、車両外郭部は左右のフロントピラーであることを特徴とする。この構成によって簡単な構造で統合ミラーを装備することができる。【００１９】  本発明に係る統合ミラーは、上記の各構成において、好ましくは、車室内ミラー部と車室外ミラー部が、着座した運転者の視線以上の高さに配置されることを特徴とする。この構成により、車両前方の視界において死角を作ることなく、良好な前方視界を得ることが可能となる。【００２０】  本発明に係る統合ミラーは、上記の各構成において、好ましくは、車室内ミラー部と車室外ミラー部が、所定の体格データに基づき決定される運転者視点位置以上の高さに配置されることを特徴とする。この構成により、車両前方に運転者にとって良好な視界を確保することができる。【００２１】  本発明に係る統合ミラーは、上記の各構成において、好ましくは、前記仮想視点が、前記フロントピラーの前方かつ車両コーナー部であって、地面から車高までの高さの範囲内に設けられることを特徴とする。この構成により、運転者にとって視界が最も良好と���るよう、その体格に合わせた統合ミラーの設置が可能となる。
【発明の効果】
【００２２】  本発明によれば、自動車等においてフロントピラー等の上端等に車室内ミラー部と車室外ミラー部が一体的になった統合ミラーを可動自在に設けるようにしたため、フロントウィンドウおよびその周辺の前方の死角の増加を防止しつつ、後方を見るためのミラーの調節負担を軽減し、後方ミラーに対する視線移動の負担を軽減し、さらに複数の後方ミラーで得られる各映像を頭の中で統合する認知作業の負担を軽減することができ、これにより自動車を運転する運転者にとっての後方状況の確認負荷を軽減することができる。
【発明を実施するための最良の形態】
【００２３】  以下に、本発明の好適な実施例を添付図面に基づいて説明する。【００２４】  図１に、本発明に係る統合ミラーを備える乗用自動車の斜視図を示す。自動車１１は、車室部１２を形成する車両外郭部（ボディー部）を備える。車室部１２では、フロントウィンドウ１３の側縁と前側ドア１４のドアウィンドウ１４ａの前縁との間にフロントピラー１５が設けられている。フロントピラー１５はフロントウィンドウ１３の左右の両側に設けられる。通常、フロントピラー１５は、上端が車体後方に傾斜した形状を有している。本発明に係る統合ミラー１６は、好ましくは、左右のフロントピラー１５のそれぞれの上端部に設けられる。統合ミラー１６は、車室部１２の外側に位置する車室外ミラー部１７と、車室部１２の内側に位置する車室内ミラー部１８とを有している。【００２５】  図２は、車室部１２の車室内側から見たフロントウィンドウ１３およびその周辺部を示す。図３はフロントウィンドウ１３の周辺部の概略的な一部断面平面図を示す。図４は車室内側から見た右側フロントピラー１５における統合ミラー１６の取付け状態を示す。【００２６】  図２で、フロントウィンドウ１３には、左右のフロントピラー１５によって両側縁部を支持されたフロントガラス１３ａが取り付けられている。左右のフロントピラー１５の上端部に統合ミラー１６が設けられている。左右の統合ミラー１６のそれぞれは車室外ミラー部１７と車室内ミラー部１８を有している。運転者１９は、自動車１１の運転中、後方を状況を確認するときには、左右の統合ミラー１６の２つのミラー部１７，１８を見る。【００２７】  図３および図４において、フロントピラー１５の上端部に形成された横方向の貫通孔部分に、統合ミラー１６の結合部材２１を挿通させ、結合部材２１の中間にある球状の取付け部材２２をフロントピラー１５内において回動自在に取り付けることにより、統合ミラー１６が取り付けられている。結合部材２１は、車室外ミラー部１７と車室内ミラー部１８を結合する部材である。フロントピラー１５の横方向の貫通孔は比較的に大きめに形成され、その内側および外側の開口部にはゴムパッキン２３が設けられている。貫通孔を挿通させて配置された結合部材２１は、運転者１９が車室内ミラー部１８を手で操作することにより取付け部材２２を中心として動かす時、その動きに応じてミラーの向きを変えることが可能である。これにより良好な後方視界を得るべく統合ミラー１６の全体姿勢を変化させることができる。図４に示すごとくフロントピラー１５における統合ミラー１６の取付け位置は、好ましくは、運転者１９の視線（目線）の高さ位置２４よりも高い位置に位置するように設定されている。なお、ゴムパッキン２３は、ミラー部１７，１８の必要な角度調整を許容しつつ、車室内外の密閉性をも成立させるためのものとして設けられており、この目的を達成するためにプラスチックや金属など他のものでフロントピラー１５の貫通孔を覆ってもよい。【００２８】  図５〜図８を参照して本発明の統合ミラーの基本的な実施例を説明する。図５は統合ミラー１６の拡大正面図を示し、図６は統合ミラー１６の拡大平面図を示し、図７はフロントピラー１５に設けられた統合ミラー１６の取付け構造の拡大図を示し、図８は取付け部材２２の構造図を示す。なお実際にはフロントピラー１５の外観や内部構造は複雑になっているが、本発明の理解を容易にするため、図２〜図７に示すごとく簡略して図示している。【００２９】  統合ミラー１６は、車室外ミラー部１７と車室内ミラー部１８とから成り、２つのミラー部１７，１８はその背面部で結合部材２１を用いて結合されている。この実施例では、車室外ミラー部１７と車室内ミラー部１８は同形である。ただし、各ミラ−部の形状やサイズは任意である。結合部材２１は、所要の剛性を有する樹脂や金属等の部材で作られ、かつその中央部に球体形状の取付け部材２２を有している。取付け部材２２は、図７および図８に示されるごとく、フロントピラー１５の内部に設けられた自在継手構造２５によって回動自在に支持されている。【００３０】  図６および図７で明らかなように、本実施例では、車室外ミラー部１７のミラー面と車室内ミラー部１８のミラー面とは同一の平面（鏡面：線２６）に含まれる関係となっている。本発明では、車室外ミラー部１７のミラー面と車室内ミラー部１８のミラー面は、必ずしも同一面である必要はなく、少なくとも平行な関係に保たれていればよい。【００３１】  上記の構成を有する統合ミラー１６では、後方視界を調整するとき、例えば運転者１９が車室内ミラー部１８を把持し、車室内ミラー部１８のミラー面に映る後方像を見ながらそれが最適になるように動かすと、車室外ミラー部１７も同時に動いてそのミラー面に映る後方像も同時に調整される。【００３２】  図７において、矢印２７は反時計回りの回動を示し、矢印２８は時計回りの回動を示している。なお取付け部材２７は、１軸（ｘ軸）周りの回動に限られず、他の軸（ｙ軸、ｚ軸）の周りにも回動自在に設けられている。【００３３】  図９を参照して統合ミラー１６で見ることのできる後方視界を光学的に説明する。ここで、ミラー部１７，１８のサイズ、取付け位置、角度等は、自動車１１の全長、全幅、車室部１２のサイズ、フロントピラー１５と運転者席（ドライバシート）との位置関係、統合ミラー１６で得られるようにしたい後方視野角３２，３３、ミラー部１７，１８の反射特性などの様々なパラメータを考慮して、運転者周囲の視野獲得（前方視野も含む）が最適になるように決定される。この際、仮想視点３１という仮想的な位置概念が用いられる。仮想視点３１から見た場合に統合ミラー１６によって遮断される車両の後方／側方領域が、統合ミラー１６を介して運転者１９が見ることのできる領域である。このように仮想視点３１という概念を利用することによって、運転者１９が得られる視野の設定／調整を容易かつ高精度に行うことができる。【００３４】  仮想視点３１は、例えば、図９に示す一点鎖線２６を中心線として、運転席位置に座る運転者１９（標準的な体格）の眼の位置に対して線対称の点であって、かつフロントピラー１５の前方に設定される点である。図９に示すように、仮想視点３１とミラー部１７，１８の端部を結ぶ線で決定される視野角３２，３３が、運転者１９から得られる後方および後側方の視野角である。従って、自動車１１のサイズ等に応じて必要な視野角３２，３３を決定し、この視野角３２，３３が得られるように、ミラー部１７，１８の横方向の幅寸法を決定することができる。なお上記視野角３２は外側視界に対応し、上記視野角３３は室内側視界に対応している。
なお上記の「標準的な体格」とは、日本人に関して云えば、例えば社団法人人間生活工学研究センター発行「日本人の人体計測データ」１９９２〜１９９４年のような十分な母数に基づく実計測体格データに基づいて決められる。そして、仮想視点３１の設定基準となる「標準的な体格における運転者視点の３次元位置」は、上記のような標準的体格を有する複数の被験者が複数回の運転席合わせを行うことによって特定できる。すなわち、本発明が採用される車両のターゲット顧客層の標準的な体格を算出した上で、その体格を有する運転者によって視界が最も良好になるように仮想視点３１は決定される。
なお、近年の顧客志向性の向上に対応して、顧客個々人にカスタマイズしたフロントピラー設計としても良い。この場合には、車両を製造する前に顧客の体格データを取得し、その体格を有する第三者又は顧客自身が視界面で最適と思われるように仮想視点３１及び統合ミラー１６の設置が行われる。
また、本発明の統合ミラーが採用される車両のターゲット購買層の平均的な体格に基づき、統合ミラーのミラー部１７，１８のサイズおよび形状、取付け位置、仮想視点３１などを決定すれば、より快適な外界視認環境を実現することができる。【００３５】  既述のごとく統合ミラー１６は回動自在に設けられているので、運転者１９の体格の違いや好みに応じて後方視野角３２，３３を適宜に調整することも可能である。【００３６】  以上のように、本発明では、統合ミラー１６の車室外ミラー部１７と車室内ミラー部１８の各ミラー面によって自動車１１の後方視界を同時に見渡すことが可能となる。このとき、仮想視点３１の高さ位置は車室部１２のルーフの位置としている。車室外ミラー部１７によって外側視界（後側方の視界）３２を見ることができ、車室内ミラー部１８によって室内側視界３３を見ることができる。外側視界３２は従来のドアミラー等で見られる角度範囲と同程度であり、室内側視界３３は後部ウィンドウの助手席側縁部が納まる角度範囲である。【００３７】  上記の仮想視点３１は、フロントピラー１５、中間ピラー３４、およびリアピラー３５の前方にあるので、これらのピラー１５，３４，３５で作られる死角３６は最小限に抑えられる。また統合ミラー１６をフロントピラー１５の上端部に設けることで、ミラー部１８による前方視界の減少および運転者１９の頭部による後方視界の減少を防止することができる。さらに好ましくは、統合ミラー１６はフロントピラー１５の上端部であって、かつ、運転者１９の頭頂よりも高い位置に設けるとよい。【００３８】  上記のごとく、本実施例に係る統合ミラー１６における車室外ミラー部１７および車室内ミラー部１８の各ミラー面の光学的な設計では、各ミラー面に映る後方像が共通の仮想視点３１を有するように設計が行われる。【００３９】  左側（助手席側）の統合ミラー１６の後方視界については、自動車１１の車体の左側の前方位置に同様に仮想視点を設定することに基づいて、右側の統合ミラー１６の後方視界に対して、ほぼ線対称の位置関係にて設定される。【００４０】  図１０の（Ａ），（Ｂ）において、自動車１１の車体に関する車幅範囲４１、運転者１９の眼に関する位置を表す線４２、フロントピラー１５等の車両中心線側に近い線４３、および車高範囲４４に関して、領域４５は右仮想視点３１が設定され得る範囲であり、領域４６は左仮想視点が設定され得る範囲であり、領域４７は左右の仮想視点の高さ方向において設定され得る範囲である。なお、運転者１９は通常、周囲の車両や通行人をしっかり認知する必要があるため、仮想視点３１の高さは運転者１９の視点高さと略同等の高さとすることが好ましい場合が多い。【００４１】  上記実施例では、左右の統合ミラー１６をフロントピラー１５の上端部に設けた構成としたが、取付け箇所はこれに限定されない。その他、フロントガラス、サイドガラス（ドアガラス）、ルーフ部分、サンルーフ部分などの、車室部１２またはその周辺の車両外郭部に設けることができる。【００４２】  また統合ミラー１６の車室外ミラー部１７と車室内ミラー部１８の各ミラー面は、平面ミラーの使用が前提であるが、これには限定されない。例えば水平方向に突��した凸面ミラー面を用いることも可能である。この場合には、平面ミラーと同じ視野角度を維持しながら、ミラー部の大きさを小さくすることができる。さらに垂直方向に突出した凸面ミラー面を用いることも可能である。この場合には、垂直方向の視野角度を拡大して、ミラー直下の地面まで視界を拡大することができる。【００４３】  上記の実施例によれば、統合ミラー１６の全体を運転者１９の眼の高さ位置よりも高くしたため、運転者１９にとって前方の走行路面に対して死角がなくなり、前方の視界を大きくすることができる。車室内ミラー部１８を調整すると、車室外ミラー部１７も連動して動き、実質的に左右の車室内ミラー部１８を２回調節するだけで簡単に全体を調整することができる。【００４４】  さらに、左右の統合ミラー１６の車室外ミラー部１７と車室内ミラー部１８は、車室１２Ａの内外の位置で近接して配置されており、統合ミラー１６を見た時、２つのミラー部１７，１８に映る後方像を、記憶に頼ることなく、即座に結合・合成することができ、運転者の空間認知の負担を軽減することができる。運転者１９にとって、車室外ミラー部１７と車室内ミラー部１８のそれぞれに映る後方像は連続的に認識でき、車室内外のミラー像を違和感なくイメージ的に結合することができる。さらに仮想視点３１という概念を導入することにより統合ミラー１６のサイズや取付け位置の設定が容易になる。【００４５】  次に図１１〜図１３に本発明に係る統合ミラーの他の実施例を示す。図１１に示した統合ミラー１６は、同形の車室外ミラー部５１と車室内ミラー部５２であってその高さ位置を異ならせたものである。また各ミラー部５１，５２のミラー面が平行に保たれた状態で前後方向に位置をずらすことも可能である。図１２に示した統合ミラー１６は、車室内ミラー部６２に対して車室外ミラー部６１の形状を異なるものとして形成している。このように車室内外の各ミラー部の形状は任意に定めることができる。図１３の（Ａ）に示した統合ミラー１６では、車室外ミラー部７１を結合部材２１と回転継手７２で結合している。この構成によれば、図１３の（Ｂ）に示すごとく、車庫入れ時や障害物との接触時に後方に倒れるようにすることができる。車室外ミラー部７１の後方への倒れ等はモータで自動的に行うように構成することもできる。さらに図８に示した取付け部材２２がフロントピラー１６の長手方向に沿って上下にスライドする構成にすれば、運転者１９に応じてより良好な視野を得るようにできる。また統合ミラー１６の制御は、周知のドアミラーの駆動機構と同様に電動で行うようにしてもよい。【００４６】  以上の実施例で説明された構成、形状、大きさおよび配置関係については本発明が理解・実施できる程度に示したものであり、本発明は、説明された実施例に限定されるものではなく、特許請求の範囲に示される技術的思想の範囲を逸脱しない限り様々な形態に変更することができる。
【産業上の利用可能性】
【００４７】  本発明は、自動車の運転中、運転者等が自動車の後方または後側方の状況を得る時に利用される。
【図面の簡単な説明】
【００４８】
【図１】本発明に係る統合ミラーを備えた乗用自動車を前側斜め上方から見た斜視図である。
【図２】図１に示した自動車の車室内から前方を見たフロントウィンドウの周辺部の本発明に係る統合ミラーの配置例を概略的に示す図である。
【図３】本発明に係る統合ミラーを左右のフロントピラーに取り付けた状態を概略的に示す平面図である。
【図４】運転席から見て右側のフロントピラーにおける統合ミラーの取付け状態を示す図である。
【図５】本発明に係る統合ミラーの代表的実施例を示す正面図である。
【図６】図５に示した統合ミラーの平面図である。
【図７】図６に示した統合ミラーとフロントピラーとの取付け関係を示した一部断面平面図である。
【図８】実施例に係る統合ミラーの自在継手部とフロントピラーとの連結関係を示す水平断面図である。
【図９】本実施例に係る統合ミラーによって見ることのできる後方視界を光学的に説明する図である。
【図１０】仮想視点の存在可能範囲を示す説明図である。
【図１１】本発明に係る統合ミラーの他の実施例を示す正面図である。
【図１２】本発明に係る統合ミラーの他の実施例を示す正面図である。
【図１３】本発明に係る統合ミラーの他の実施例を示子、（Ａ）は通常状態、（Ｂ）は車室外ミラー部が後方へ倒れた状態を示す平面図である。
【符号の説明】
【００４９】  １１    自動車
１２    車室部
１２Ａ  車室
１３    フロントウィンドウ
１４    ドア
１５    フロントピラー
１６    統合ミラー
１７    車室外ミラー部
１８    車室内ミラー部
１９    運転者
２１    結合部材
２２    取付け部材
２３    ゴムパッキン
３１    右仮想視点
３２    外側視界
３３    室内側視界
【図１】
2005035314.tif 000003
【図２】
2005035314.tif 000004
【図３】
2005035314.tif 000005
【図４】
2005035314.tif 000006
【図５】
2005035314.tif 000007
【図６】
2005035314.tif 000008
【図７】
2005035314.tif 000009
【図８】
2005035314.tif 000010
【図９】
2005035314.tif 000011
【図１０】
2005035314.tif 000012
【図１１】
2005035314.tif 000013
【図１２】
2005035314.tif 000014
【図１３】
2005035314.tif 000015
【手続補正書】
【提出日】平成17年2月14日(2005.2.14)
【手続補正１】
【補正対象書類名】特許請求の範囲
【補正対象項目名】全文
【補正方法】変更
【補正の内容】
【書類名】請求の範囲
【請求項１】車両後方の車室内側視界を映す車室内ミラー部と、
車両後方の車室外側視界を映す車室外ミラー部と、
前記車室内ミラー部と前記車室外ミラー部を各々のミラー面が平行になるように結合する結合手段と、を有する統合ミラーにおいて、
前記車室内ミラー部及び前記車室外ミラー部は、各ミラー面に映る像が所定の体格データを用いて決定される運転者視点位置に応じて決定される共通の仮想視点に基づいて結像されるように光学的に設計され、各ミラー面に映る像が連続性を有しており、かつ、着座した運転者の前記運転者視点位置以上の高さに配置されることを特徴とする統合ミラー。
【請求項２】（削除）
【請求項３】更に、前記結合手段の途中に設けられ、前記車両外郭部の上部に回動自在に設けられた取付け手段を有し、前記車室内ミラー部と前記車室外ミラー部は前記取付け手段を回動中心にして連動して動くことを特徴とする請求項１記載の統合ミラー。
【請求項４】前記車室内ミラー部を動かすことによってミラー位置が調整可能に設けられた請求項３記載の統合ミラー。
【請求項５】前記車両外郭部は左右のフロントピラーであることを特徴とする請求項１，３又は４に記載の統合ミラー。
【請求項６】（削除）
【請求項７】（削除）
【請求項８】前記仮想視点は、前記フロントピラーの前方かつ車両コーナー部であって、地面から車高までの高さの範囲内に設けられることを特徴とする請求項５に記載の統合ミラー。
【手続補正書】
【提出日】平成17年2月14日(2005.2.14)
【手続補正００１】
【補正対象書類名】特許請求の範囲
【補正対象項目名】請求の範囲
【補正方法】変更
【補正の内容】
【書類名】請求の範囲
【請求項１】（補正後）車両後方の車室内側視界を映す車室内ミラー部と、
車両後方の車室外側視界を映す車室外ミラー部と、
前記車室内ミラー部と前記車室外ミラー部を各々のミラー面が平行になるように結合する結合手段と、を有する統合ミラーにおいて、
前記車室内ミラー部及び前記車室外ミラー部は、各ミラー面に映る像が所定の体格データを用いて決定される運転者視点位置に応じて決定される共通の仮想視点に基づいて結像されるように光学的に設計され、各ミラー面に映る像が連続性を有しており、かつ、着座した運転者の前記運転者視点位置以上の高さに配置されることを特徴とする統合ミラー。
【請求項２】（削除）
【請求項３】（補正後）更に、前記結合手段の途中に設けられ、前記車両外郭部の上部に回動自在に設けられた取付け手段を有し、前記車室内ミラー部と前記車室外ミラー部は前記取付け手段を回動中心にして連動して動くことを特徴とする請求項１記載の統合ミラー。
【請求項４】前記車室内ミラー部を動かすことによってミラー位置が調整可能に設けられた請求項３記載の統合ミラー。
【請求項５】（補正後）前記車両外郭部は左右のフロントピラーであることを特徴とする請求項１，３又は４に記載の統合ミラー。
【請求項６】（削除）
【請求項７】（削除）
【請求項８】（補正後）前記仮想視点は、前記フロントピラーの前方かつ車両コーナー部であって、地面から車高までの高さの範囲内に設けられることを特徴とする請求項５に記載の統合ミラー。
１３
【手続補正書】
【提出日】平成18年8月1日(2006.8.1)
【手続補正１】
【補正対象書類名】特許請求の範囲
【補正対象項目名】全文
【補正方法】変更
【補正の内容】
【特許請求の範囲】
【請求項１】
車両後方の車室内側視界を映す車室内ミラー部と、
車両後方の車室外側視界を映す車室外ミラー部と、
前記車室内ミラー部と前記車室外ミラー部を各々のミラー面が平行となるように結合する結合手段と、を有する統合ミラーにおいて、
前記車室内ミラー部及び前記車室外ミラー部は、所定の体格データを用いて決定される運転者視点位置に応じて決められる仮想視点からの、前記車両後方の所定視界領域が映るように設けられ、かつ、前記運転者視点位置以上の高さに配置されていることを特徴とする統合ミラー。
【請求項２】
更に、前記結合手段の途中に設けられ、前記車両外郭部の上部に回動自在に設けられた取付け手段を有し、前記車室内ミラー部と前記車室外ミラー部は前記取付け手段を回動中心にして連動して動くことを特徴とする請求項１記載の統合ミラー。
【請求項３】
前記車室内ミラー部を動かすことによってミラー位置が調整可能に設けられた請求項２記載の統合ミラー。
【請求項４】
前記車両外郭部は左右のフロントピラーであることを特徴とする請求項１，２又は３に記載の統合ミラー。
【請求項５】
前記仮想視点は、前記フロントピラーの前方であって、地面から車高までの高さの範囲内に設けられることを特徴とする請求項４に記載の統合ミラー。
【国際調査報告】
2005035314.tif 000016
2005035314.tif 000017